(57)【要約】      （修正有）【課題】モードダイヤルの誤操作を適正に防止する。【解決手段】電子機器の各種動作モードの切替え操作に係るモードダイヤル２０３に着脱自在に取り付けられ、モードダイヤルの回動を防止する回動防止キャップ１００であって、モードダイヤルの外周部には、径方向に突出する凸部２０３ａが略等間隔を空けて複数設けられ、当該凸部と嵌合する被嵌合部が形成され、被嵌合部を凸部に嵌合させるようにモードダイヤルの外周面部に取り付けられる内側キャップ部材１１と、内側キャップ部材に対して回動自在に設けられるとともに、内側キャップ部材が外周面部に取り付けられることでモードダイヤルを被覆する外側キャップ部材２とを備えている。【選択図】図３
2008123881.tif 000002
【特許請求の範囲】
【請求項１】
電子機器の各種動作モードの切替え操作に係るモードダイヤルに着脱自在に取り付けられ、前記モードダイヤルの回動を防止する回動防止キャップであって、
前記モードダイヤルの外周部には、径方向に突出する凸部が設けられ、
前記モードダイヤルの前記凸部と嵌合する被嵌合部が形成され、前記被嵌合部を前記凸部に嵌合させるように前記外周部に取り付けられる内側部材と、
前記内側部材に対して回動自在に設けられるとともに、前記内側部材が前記外周部に取り付けられることで前記モードダイヤルを被覆する外側部材と、
ストラップが取り付けられるストラップ取付部とを備え、
前記内側部材には、前記外側部材の回動中心方向に延出された軸状部が設けられ、
前記外側部材には、前記軸状部が挿通される挿通孔が形成され、
さらに、前記挿通孔に挿通された前記軸状部に取り付けられ、前記外側部材に対する前記内側部材の抜け止めを行う抜止部材を備えることを特徴とする回動防止キャップ。
【請求項２】
電子機器の各種動作モードの切替え操作に係るモードダイヤルに着脱自在に取り付けられ、前記モードダイヤルの回動を防止する回動防止キャップであって、
前記モードダイヤルの外周部には、径方向に突出する凸部が設けられ、
前記モードダイヤルの前記凸部と嵌合する被嵌合部が形成され、前記被嵌合部を前記凸部に嵌合させるように前記外周部に取り付けられる内側部材と、
前記内側部材に対して回動自在に設けられるとともに、前記内側部材が前記外周部に取り付けられることで前記モードダイヤルを被覆する外側部材とを備えることを特徴とする回動防止キャップ。
【請求項３】
前記内側部材には、前記外側部材の回動中心方向に延出された軸状部が設けられ、
前記外側部材には、前記軸状部が挿通される挿通孔が形成され、
前記挿通孔に挿通された前記軸状部に取り付けられ、前記外側部材に対する前記内側部材の抜け止めを行う抜止部材を備えることを特徴とする請求項２に記載の回動防止キャップ。
【請求項４】
ストラップが取り付けられるストラップ取付部を備えることを特徴とする請求項２又は３に記載の回動防止キャップ。
【発明の詳細な説明】
【技術分野】
【０００１】
本発明は、モードダイヤルの回動を防止する回動防止キャップに関する。
【背景技術】
【０００２】
従来、ＰＤＡ（personal digital assistant）や携帯音楽再生装置等の電子機器には、各種動作モードを切替える操作を行うためのモードダイヤルを備えたものがある。
ところで、電子機器を不使用状態で鞄やポケットに入れて携帯していると、モードダイヤルが誤操作されて回転してしまう場合がある。かかる場合には、動作モードがユーザの望んでいないモードに設定されて、電子機器がユーザの意図しない動作を行ってしまう虞がある。
【０００３】
そこで、ダイヤルの誤操作を防止するために、ダイヤルのカバー部材を備えた電子ダイヤル機構が開発されている（例えば、特許文献１参照）。また、カメラのファンクションスイッチボタンの誤操作を防止するために当該ファンクションスイッチボタンを遮蔽する回転蓋が設けられたカメラも開発されている（例えば、特許文献２参照）。
【０００４】
一方、モードダイヤルの操作を容易化するために、当該モードダイヤルに着脱自在に装着される操作キャップも知られている（例えば、特許文献３参照）。
【特許文献１】特開平９−３１１３５７号公報
【特許文献２】実開平５−１５０２９号公報
【特許文献３】特開２００４−２６４７０４号公報
【発明の開示】
【発明が解決しようとする課題】
【０００５】
ところで、上記特許文献１等の場合、ダイヤル本体が完全に被覆された状態となっていないため、ダイヤルが誤操作されてしまう虞がある。
【０００６】
なお、特許文献３の操作キャップは、モードダイヤルの外周面の回転防止溝に当該キャップの内周面の突起を嵌合させるように取り付けられるものであるが、本願発明とは目的が異なっている。即ち、特許文献３の操作キャップは、モードダイヤルの操作を容易化するためのものであり、一方、本願発明は、モードダイヤルの誤操作の防止を図るものである。
【０００７】
そこで、本発明の課題は、モードダイヤルの誤操作を適正に防止することができる回動防止キャップを提供することである。
【課題を解決するための手段】
【０００８】
上記課題を解決するため、請求項１に記載の発明は、
電子機器の各種動作モードの切替え操作に係るモードダイヤルに着脱自在に取り付けられ、前記モードダイヤルの回動を防止する回動防止キャップであって、
前記モードダイヤルの外周部には、径方向に突出する凸部が設けられ、
前記モードダイヤルの前記凸部と嵌合する被嵌合部が形成され、前記被嵌合部を前記凸部に嵌合させるように前記外周部に取り付けられる内側部材と、
前記内側部材に対して回動自在に設けられるとともに、前記内側部材が前記外周部に取り付けられることで前記モードダイヤルを被覆する外側部材と、
ストラップが取り付けられるストラップ取付部とを備え、
前記内側部材には、前記外側部材の回動中心方向に延出された軸状部が設けられ、
前記外側部材には、前記軸状部が挿通される挿通孔が形成され、
さらに、前記挿通孔に挿通された前記軸状部に取り付けられ、前記外側部材に対する前記内側部材の抜け止めを行う抜止部材を備えることを特徴としている。
【０００９】
請求項２に記載の発明は、
電子機器の各種動作モードの切替え操作に係るモードダイヤルに着脱自在に取り付けられ、前記モードダイヤルの回動を防止する回動防止キャップであって、
前記モードダイヤルの外周部には、径方向に突出する凸部が設けられ、
前記モードダイヤルの前記凸部と嵌合する被嵌合部が形成され、前記被嵌合部を前記凸部に嵌合させるように前記外周部に取り付けられる内側部材と、
前記内側部材に対して回動自在に設けられるとともに、前記内側部材が前記外周部に取り付けられることで前記モードダイヤルを被覆する外側部材とを備えることを特徴としている。
【００１０】
請求項３に記載の発明は、請求項２に記載の回動防止キャップにおいて、
前記内側部材には、前記外側部材の回動中心方向に延出された軸状部が設けられ、
前記外側部材には、前記軸状部が挿通される挿通孔が形成され、
前記挿通孔に挿通された前記軸状部に取り付けられ、前記外側部材に対する前記内側部材の抜け止めを行う抜止部材を備えることを特徴としている。
【００１１】
請求項４に記載の発明は、請求項２又は３に記載の回動防止キャップにおいて、
ストラップが取り付けられるストラップ取付部を備えることを特徴としている。
【発明の効果】
【００１２】
請求項１に記載の発明によれば、モードダイヤルを外側部材により被覆することができるとともに、外側部材が誤って回動しても、当該外側部材は内側部材に対して回動自在に設けられていることから、内側部材が外側部材とともに回動するといったことがなくなり、モードダイヤルの誤操作を適正に防止することができる。
また、抜止部材により外側部材に対して内側部材が抜け止めされているので、内側部材に対して外側部材を適正に回動させることができる。さらに、当該回動防止キャップをモードダイヤルに取り付ける場合には、抜止部材及び外側部材の両方を把持するだけで外側部材の軸状部を中心とした回動を規制することができ、内側部材の被嵌合部とモードダイヤルの凸部との嵌合の容易化を図ることができる。
さらに、ストラップ取付部にストラップが取り付けられることにより、回動防止キャップの携帯性を向上させることができ、より使い勝手の良い回動防止キャップを提供することができる。
【００１３】
請求項２に記載の発明によれば、モードダイヤルを外側部材により被覆することができるとともに、外側部材が誤って回動しても、当該外側部材は内側部材に対して回動自在に設けられていることから、内側部材が外側部材とともに回動するといったことがなくなり、モードダイヤルの誤操作を適正に防止することができる。
【００１４】
請求項３に記載の発明によれば、請求項２に記載の発明と同様の効果が得られるのは無論のこと、特に、抜止部材により外側部材に対して内側部材が抜け止めされているので、内側部材に対して外側部材を適正に回動させることができる。さらに、当該回動防止キャップをモードダイヤルに取り付ける場合には、抜止部材及び外側部材の両方を把持するだけで外側部材の軸状部を中心とした回動を規制することができ、内側部材の被嵌合部とモードダイヤルの凸部との嵌合の容易化を図ることができる。
【００１５】
請求項４に記載の発明によれば、請求項２又は３に記載の発明と同様の効果が得られるのは無論のこと、特に、ストラップ取付部にストラップが取り付けられることにより、回動防止キャップの携帯性を向上させることができ、より使い勝手の良い回動防止キャップを提供することができる。
【発明を実施するための最良の形態】
【００１６】
以下に、本発明について、図面を用いて具体的な態様を説明する。ただし、発明の範囲は、図示例に限定されない。
図１（ａ）は、本発明を適用した好適な一実施形態として例示する回動防止キャップ１００を模式的に示す斜視図であり、図１（ｂ）は、回動防止キャップ１００の正面図である。また、図２（ａ）は、電子機器２００を模式的に示す正面図であり、図２（ｂ）は、電子機器２００の平面図である。また、図３は、回動防止キャップ１００が電子機器２００のモードダイヤル２０３に取り付けられた状態を模式的に示す断面図である。
【００１７】
本実施形態の回動防止キャップ１００は、例えば、図１〜図３に示すように、電子機器２００のモードダイヤル２０３に着脱自在に取り付けられて当該モードダイヤル２０３の回動を防止するものである。
【００１８】
先ず、電子機器２００について説明する。
電子機器２００は、例えば、ＰＤＡや携帯音楽再生装置等を適用することができる。具体的には、例えば、電子機器２００は、その正面に筐体２０１の開口部２０１ａから液晶表示パネル２０２ａを露出させるように液晶表示装置２０２が設けられている。また、電子機器２００の上面部には、当該電子機器２００の各種動作モードの切替え操作を行うためのモードダイヤル２０３が設けられている。
【００１９】
モードダイヤル２０３は、例えば、ギヤ形状に形成されている（図３及び図４参照）。即ち、モードダイヤル２０３は、例えば、外形が略円板状に形成され、その外周部には径方向に突出する凸部２０３ａが略等間隔を空けて複数形成されている。
そして、モードダイヤル２０３が所定方向に所定角度回転することで、当該電子機器２００の動作モードが切り替えられて、所定の動作モードが設定されるようになっている。
【００２０】
なお、モードダイヤル２０３の形状は、上記例示したものに限られるものではなく、外周部に径方向に突出する凸部２０３ａが少なくとも一つ設けられていれば、外形は如何なる形状であっても良いし、凸部２０３ａは２つ以上形成されていても良い。
【００２１】
次に、回動防止キャップ１００について、適宜図面を参照して詳細に説明する。
ここで、図４は、回動防止キャップ１００を示す分解斜視図である。
回動防止キャップ１００は、例えば、図４に示すように、モードダイヤル２０３を被覆するように取り付けられる内側キャップ部材１と、内側キャップ部材１に対して回動自在に設けられた外側キャップ部材２と、この外側キャップ部材２に対する内側キャップ部材１の抜け止めを行うビス止め部材３等を備えて構成されている。
【００２２】
以下に、内側キャップ部材１について図５（ａ）〜図５（ｃ）を参照して説明する。
ここで、図５（ａ）は、内側キャップ部材１を模式的に示す底面図であり、図５（ｂ）は、内側キャップ部材１の正面図であり、図５（ｃ）は、内側キャップ部材１の平面図である。
なお、図５（ｂ）は、内側キャップ部材１の内部を透過した状態を表し、内部構造を破線で示すものとする。
【００２３】
内側キャップ部材１は、例えば、図５（ａ）〜図５（ｃ）に示すように、一方向（例えば、図４にあっては、下側）に開口した内側キャップ本体部１１と、この内側キャップ本体部１１の開口と反対側に向けて突出された軸状部１２等を備えている。
【００２４】
内側キャップ本体部１１は、例えば、外形が略円盤状に形成され、底面部が上側に座刳られるようにしてモードダイヤル２０３が内側に配されるダイヤル配置部１１１が形成されている。
ダイヤル配置部１１１は、例えば、モードダイヤル２０３の外形に対応させた形状に形成されている。即ち、ダイヤル配置部１１１は、例えば、その内周部にモードダイヤル２０３の凸部２０３ａと嵌合する被嵌合部１１１ａが略等間隔を空けて複数形成され、さらに、内周部の上端部に連続して、モードダイヤル２０３の高さよりもわずかに高い平面状の天面部１１１ｂが形成されている。
これにより、内側キャップ本体部１１は、被嵌合部１１１ａを凸部２０３ａに嵌合させるようにモードダイヤル２０３の外周部に取り付けられることでダイヤル配置部１１１内にモードダイヤル２０３が配置された状態となる。
【００２５】
また、ダイヤル配置部１１１は、例えば、その中心と内側キャップ本体部１１の中心とがほぼ重なる位置に形成されている。
これにより、内側キャップ部材１がモードダイヤル２０３に取り付けられた状態で、内側キャップ部材１及びモードダイヤル２０３が一体となって略同一の軸を回動中心として回動することとなる。
【００２６】
軸状部１２は、例えば、外側キャップ部材２の回動中心軸の延在方向に沿うように内側キャップ本体部１１の上面の略中心から延出されている。具体的には、軸状部１２は、例えば、モードダイヤル２０３の回動中心の軸線上に位置するように形成されている。
軸状部１２の高さは、例えば、外側キャップ部材２の挿通孔２１２に挿通された状態で、当該軸状部１２の先端がわずかに突出する程度とされている。
【００２７】
また、軸状部１２の先端部には、例えば、ビス止め部材３の軸部３２が挿入される軸挿入部１２１が形成されている（詳細後述）。
【００２８】
以下に、外側キャップ部材２について図６（ａ）〜図６（ｃ）を参照して説明する。
ここで、図６（ａ）は、外側キャップ部材２を模式的に示す底面図であり、図６（ｂ）は、外側キャップ部材２の正面図であり、図６（ｃ）は、外側キャップ部材２の平面図である。
なお、図６（ｂ）は、外側キャップ部材２の内部を透過した状態を表し、内部構造を破線で示すものとする。
【００２９】
外側キャップ部材２は、例えば、図６（ａ）〜図６（ｃ）に示すように、内側キャップ部材１が内側に配される内側部材配置部２１１が形成された外側キャップ本体部２１と、ストラップＳが取り付けられるストラップ取付部２２等を備えている。
【００３０】
外側キャップ本体部２１は、例えば、外形が略円盤状に形成され、底面部が上側に座刳られるようにして内側部材配置部２１１が形成されている。
内側部材配置部２１１は、例えば、内側キャップ本体部１１の高さよりもわずかに高い天面部２１１ａを有し、且つ、内側キャップ本体部１１の直径よりもわずかに大きい直径を有するように形成されている。これにより、外側キャップ本体部２１は、内側部材配置部２１１内に内側キャップ部材１が配置されることで当該内側キャップ部材１を被覆するようになっている。従って、外側キャップ本体部２１は、内側キャップ部材１とともにモードダイヤル２０３を被覆するようになっている。
【００３１】
また、外側キャップ本体部２１には、例えば、内側部材配置部２１１内と上面部側とを連通させ、内側キャップ部材１の軸状部１２が挿通される挿通孔２１２が形成されている。
挿通孔２１２は、例えば、モードダイヤル２０３及び内側キャップ部材１の回動中心の軸線上に位置するように形成されている。
【００３２】
ストラップ取付部２２は、例えば、外側キャップ本体部２１の外周面の一端部から径方向に突出するように形成され、ストラップＳが巻回されるストラップホール２２１を有している。
【００３３】
ストラップＳは、例えば、一端部がストラップ取付部２２のストラップホール２２１に取り付けられ、他端部が電子機器２００本体側の所定位置に結びつけられるようになっている。
これにより、回動防止キャップ１００の携帯性を向上させることができる。即ち、電子機器２００の使用状態及び不使用状態に関わらず、回動防止キャップ１００を携帯することができることとなって、より使い勝手の良い回動防止キャップ１００を提供することができる。
【００３４】
なお、ストラップ取付部２２として、ストラップホール２２１を備えるものを例示したが、これに限られるものではなく、ストラップＳを取り付けることができる構成であれば如何なるものであっても良い。
【００３５】
以下に、ビス止め部材３について図７を参照して説明する。
ここで、図７は、ビス止め部材３を模式的に示す図である。
ビス止め部材３は、例えば、図７に示すように、略円板状の平板部３１と、この平板部３１の下端面の略中央部から下側に突出された軸部３２等を備えている。
【００３６】
平板部３１は、例えば、外側キャップ部材２の挿通孔２１２よりも大径とされている。
そして、例えば、挿通孔２１２に挿通された軸状部１２の軸挿入部１２１に軸部３２が挿入されることで内側キャップ部材１に当該ビス止め部材３が取付固定された状態となり、これによって、外側キャップ部材２に対して内側キャップ部材１が抜け止めされるようになっている。
【００３７】
次に、回動防止キャップ１００の使用方法について説明する。
電子機器２００の使用状態では、例えば、回動防止キャップ１００はストラップＳを介して電子機器２００本体に結びつけられた状態となっている。
【００３８】
そして、電子機器２００の不使用状態、即ち、鞄やポケットに入れて携帯する場合等には、回動防止キャップ１００の内側キャップ部材１内に電子機器２００のモードダイヤル２０３が配されるように取付けられる。具体的には、内側キャップ部材１の被嵌合部１１１ａをモードダイヤル２０３の凸部２０３ａに嵌合させるようにして回動防止キャップ１００を取り付ける。
ここで、内側キャップ部材１の被嵌合部１１１ａをモードダイヤル２０３の凸部２０３ａに嵌合させる際には、内側キャップ部材１に対して回動自在となっている外側キャップ部材２の回動を規制して、即ち、軸状部１２を中心として外側キャップ部材２が回動しないように軸状部１２に接続されたビス止め部材３及び外側キャップ部材２を把持した状態で、内側キャップ部材１の被嵌合部１１１ａをモードダイヤル２０３の凸部２０３ａに嵌合させた方が好ましい。
【００３９】
これにより、回動防止キャップ１００によりモードダイヤル２０３が被覆された状態となるとともに、外側キャップ部材２が内側キャップ部材１に対して回動自在の状態で電子機器２００に取り付けられた状態となる。
【００４０】
以上のように、本実施形態の回動防止キャップ１００によれば、モードダイヤル２０３を外側キャップ部材２により被覆することができるとともに、外側キャップ部材２が誤って回動しても、当該外側キャップ部材２は内側キャップ部材１に対して回動自在に設けられていることから、内側キャップ部材１が外側キャップ部材２とともに回動するといったことがなくなり、モードダイヤル２０３の誤操作を適正に防止することができる。
【００４１】
また、ビス止め部材３により外側キャップ部材２に対して内側キャップ部材１が抜け止めされているので、内側キャップ部材１に対して外側キャップ部材２を適正に回動させることができる。さらに、当該回動防止キャップ１００をモードダイヤル２０３に取り付ける場合には、ビス止め部材３及び外側キャップ部材２の両方を把持するだけで外側キャップ部材２の軸状部１２を中心とした回動を規制することができ、内側キャップ部材１の被嵌合部１１１ａとモードダイヤル２０３の凸部２０３ａとの嵌合の容易化を図ることができる。
さらに、ビス止め部材３及び外側キャップ部材２の両方を把持した状態で、所定方向に回動させることにより、モードダイヤル２０３を所定方向に回動させることもできる。即ち、モードダイヤル２０３に比べてより大径の回動防止キャップ１００を把持することで、モードダイヤル２０３を直接回転させる場合に比べて回転トルクを小さくして、モードダイヤル２０３の操作をより容易なものとすることができる。
【００４２】
なお、本発明は、上記実施形態に限定されることなく、本発明の趣旨を逸脱しない範囲において、種々の改良並びに設計の変更を行っても良い。
例えば、内側キャップ部材１に対して外側キャップ部材２を回動自在とさせるために、内側キャップ部材１に軸状部１２を配設し、外側キャップ部材２に軸状部１２が挿通される挿通孔２１２を形成するようにしたが、内側キャップ部材１に対する外側キャップ部材２の回動機構はこれに限られるものではない。
また、上記実施形態では、挿通孔２１２に挿通された軸状部１２にビス止め部材３を取り付けることで、外側キャップ部材２に対して内側キャップ部材１の抜け止めを行うようにしたが、外側キャップ部材２に対する内側キャップ部材１の抜止機構はこれに限られるものではない。
【００４３】
さらに、上記実施形態では、外側キャップ部材２にストラップ取付部２２を設けるようにしたが、ストラップ取付部２２を設けるか否かは適宜変更することができる。加えて、ストラップ取付部２２の取付位置も外側キャップ部材２に限られるものではない。
【００４４】
また、上記実施形態では、電子機器２００の上面部にモードダイヤル２０３を設けるようにしたが、モードダイヤル２０３の配設位置はこれに限られるものではなく、例えば、正面部、側面部、裏面部等の如何なる位置であっても良い。さらに、電子機器２００として、液晶表示装置２０２を備えるものを例示したが、電子機器２００の構成はこれに限られるものではなく、モードダイヤル２０３により動作モードを切替え可能なものであれば如何なる構成であっても良い。
【００４５】
加えて、回動防止キャップ１００及び電子機器２００の構成や各部の形状等は、上記実施形態に例示したものは一例であり、これらに限られるものではない。
【図面の簡単な説明】
【００４６】
【図１】本発明を適用した好適な一実施形態として例示する回動防止キャップを模式的に示す図である。
【図２】図１の回動防止キャップが取り付けられる電子機器を模式的に示す図である。
【図３】図１の回動防止キャップが電子機器のモードダイヤルに取り付けられた状態を模式的に示す断面図である。
【図４】図１の回動防止キャップを示す分解斜視図である。
【図５】図１の回動防止キャップを構成する内側キャップ部材を模式的に示す図である。
【図６】図１の回動防止キャップを構成する外側キャップ部材を模式的に示す図である。
【図７】図１の回動防止キャップを構成するビス止め部材を模式的に示す図である。
【符号の説明】
【００４７】
１００    回動防止キャップ
１        内側キャップ部材（内側部材）
１１１ａ  被嵌合部
１２      軸状部
２        外側キャップ部材（外側部材）
２１２    挿通孔
２２      ストラップ取付部
２２１    ストラップホール
３        ビス止め部材（抜止部材）
２００    電子機器
２０３    モードダイヤル
２０３ａ  凸部
【図１】
2008123881.tif 000003
【図２】
2008123881.tif 000004
【図３】
2008123881.tif 000005
【図４】
2008123881.tif 000006
【図５】
2008123881.tif 000007
【図６】
2008123881.tif 000008
【図７】
2008123881.tif 000009